(57)【特許請求の範囲】
【請求項１】
摩耗靴底（２）、履物の内部に配設されかつその前方部分に孔を有する清潔靴底及びアッパーを備えた履物であって、前記摩耗靴底（２）は、履物の内部に向かって開放された、その前方部分内の少なくとも１つの圧縮チャンバ（５）、及び履物の外部に向かってしか空気の通過を許さない少なくとも１つの第１の不還弁の備わった、踵部の中の少なくとも１つの圧縮チャンバ（４）を有し、前方部分内の前記圧縮チャンバ（５）は、前記摩耗靴底（２）の前方から後方への空気の循環のみを許容する第２の不還弁（８）を有する導管（６）を介して踵部の前記圧縮チャンバ（４）に連結されている履物において、
前方部分内の前記圧縮チャンバ（５）の原型である少なくとも１つの前方キャビティ及び踵部内の前記圧縮チャンバ（４）の原型である少なくとも１つの後方キャビティを有する形態に前記摩耗靴底（２）が成形されており、前記キャビティは前記摩耗靴底（２）の上部面上に開放されており、前記摩耗靴底（２）上には快適層（３）が成形されており、前記摩耗靴底（２）及び前記快適層（３）は互いの間に前記圧縮チャンバ（４、５）を規定し、前記快適層（３）は前記摩耗靴底（２）の前記後方キャビティを被覆し、一方前記摩耗靴底（２）の前記前方キャビティは開放状態に保たれ、前記摩耗靴底（２）及び前記快適層（３）には、前記圧縮チャンバ（４、５）を連結しかつ前記第２の不還弁（８）が設けられた前記導管（６）ならびに踵部の前記圧縮チャンバ（４）を履物の外部に連結しかつ前記第１の不還弁が設けられた少なくとも１つのオリフィス（７）及び／又は導管が配設されている、ことを特徴とする履物。
【請求項２】
前記摩耗靴底（２）の各々の前記キャビティにはオリフィスが形成されており、前記導管（６）はこれらのオリフィス間を延在して前記キャビティを連結しており、前記後方キャビティにはさらに履物の外部に通じかつ前記第１の不還弁を収容するオリフィス（７）が付設されている、請求項１に記載の履物。
【請求項３】
前記摩耗靴底（２）がその外側下部面上に、その外側下部面の表面との関係において突出した形で実施された刻み目を構成する幾何学形状のカット部を有することを特徴とする請求項１及び２のいずれか１項に記載の履物。
【請求項４】
前記摩耗靴底（２）がポリウレタンで構成されている、請求項１〜３のいずれか１項に記載の履物。
【請求項５】
前記快適層（３）が発泡ポリウレタンで構成されている、請求項１〜４のいずれか１項に記載の履物。
【請求項６】
請求項１〜５のいずれか１項に記載の履物を製造する方法において、
前方部分内の前記圧縮チャンバ（５）の原型である少なくとも１つの前方キャビティ及び踵部内の前記圧縮チャンバ（４）の原型である少なくとも１つの後方キャビティを有する形態に前記摩耗靴底（２）を成形する段階を含み、前記キャビティは前記摩耗靴底（２）の上部面に向かって開放されており、踵部の前記後方キャビティには前記摩耗靴底（２）の外部に通じる前記少なくとも１つのオリフィス（７）及び／又は前記導管が付設されており、前記キャビティの各々には、前記キャビティを連結しかつ前記摩耗靴底（２）の前方部分から踵部に向かっての空気の通過しか許容しない前記不還弁（８）が設けられた前記導管（６）の端部に通ずるオリフィスが形成されており、さらに前記摩耗靴底（２）と共に、踵部の閉じられた前記圧縮チャンバ（４）及び前記摩耗靴底（１）の前方部分の開放されている前記圧縮チャンバー（５）及び前記導管（６）を規定する前記快適層（３）を成形する段階を含み、踵部の前記圧縮チャンバ（４）のオリフィス（７）及び／又は導管には前記圧縮チャンバ（４）から外部への空気の通過のみを許可する前記第１の不還弁が配設されている、ことを特徴とする履物製造方法。
【請求項７】
前記快適層の成形の前に踵部の前記圧縮チャンバ（４）の原型である前記後部キャビティに付設されている前記オリフィス（７）又は前記導管中に前記第１の不還弁を配設する、請求項６に記載の方法。
【請求項８】
前記快適層（３）の成形の後に前記圧縮チャンバ（４）の前記オリフィス（７）又は前記導管中に前記第１の不還弁を設置することを特徴とする請求項６に記載の方法。
【発明の詳細な説明】
本発明は、空気循環式履物及びその製造方法に関する。
履物を履いた場合、長時間立ったままの姿勢でいるとき、足踏みしているとき及び／又は長さに多少の差こそあれ徒歩で移動する際に、往々にして足の発汗及び膨張に関連した不快感及び痛みが発生する。
この種の問題を解決するため、ＦＲ−Ａ−２５９４３０５、ＦＲ−Ａ−２０５２２６８、ＦＲ−Ａ−２６９５３０３、ＦＲ−Ａ−２６８４５２５、ＥＰ−Ａ−０３１９９６８、ＷＯ−Ａ−８９１００７３及びＷＯ−Ａ９５１３７１４に記述されたもののような空気循環式履物が提案された。これらの文書に提案された解決法は、足底弓の下側のみが通気されているか又は空気が靴から外へ完全に排出されず靴底の中で踵部から足底弓まで循環するだけで満足しているという点で、完全に満足のいくものではない。
その上、摩耗靴底内に設けられたキャビティ内に設置された（ＧＢ−Ａ−２２４７３９１）又は摩耗靴底の質量の中に内蔵された（ＥＰ−Ａ−０５９４５１８）ポンプといった外部装置を利用するこれらの装置は、コストが高くつくことが判明している。
ＦＲ−Ａ−２７２３８２２では、履物の内部からこの履物の外部に向かって空気を排出するための空気循環装置を有する履物が提案されていた。この履物は、前方及び後方に圧縮可能なキャビティが中に設けられた摩耗靴底を有している。圧縮キャビティは摩耗靴底の中で、例えばこの靴底の成形によって得られる。前方部分の中の圧縮キャビティは、履物の内部に向かって開放した形で実施され、一方踵部の中の圧縮キャビティ、靴底の前方部分からくる空気の流入と外部に向かっての空気の流出のみを呈するような形で閉じられている。この圧縮キャビティは一般に、履物の中への清潔靴底の接着により閉じられる。この装置によると、履物の内部で優れた空気循環が得られる。すでに言及した通り、踵部の圧縮キャビティの閉鎖は、摩耗靴底上に清潔靴底を設置することによって行なわれる。その結果、履物を一定時間使用した後、踵部の圧縮キャビティのレベルでの気密性が失なわれ、かくして空気循環装置の効率は、例えば清潔靴底の摩耗によって減少することになる。
これらの欠点を補正する目的で、本発明は、経済的なやり方で前記空気循環装置を構成する要素の数を制限することによって、靴底の中に完全に空気循環装置が内蔵されている空気循環式履物を提案している。
このため、本発明の目的は、摩耗靴底、その前方部分に孔が備わった清潔靴底及びアッパーを呈する履物において、前記摩耗靴底が、履物の内部に向かって開放したその前方部分内の少なくとも１つの圧縮チャンバ及び履物の外部に向かってしか空気の通過を許さない少なくとも１つの第１の不還弁の備わった踵部の中の少なくとも１つの圧縮チャンバを有し、前方部分内の圧縮チャンバが、摩耗靴底の前方から後方への空気の循環のみを許容する第２の不還弁を有する導管を介して踵部の圧縮チャンバに連結されている履物であって、摩耗靴底は成形され、その上に２重成形された快適層を有し、この摩耗靴底及び快適層は互いの間に圧縮チャンバを構成し、これらの圧縮チャンバを連結しかつ前方部分から踵部への空気の通過のための第２の不還弁を備えた導管ならびに踵部のチャンバを外部と連結しかつ第１の不還弁を備えたオリフィス及び／又は導管を形成するか又は閉じ込めていることを特徴とする履物にある。
かくして、その上部部分に備わった快適層とその下部部分内の摩耗靴底に分解される履物の靴底が構成され、この摩耗靴底と快適層は、空気循環装置の圧縮チャンバを互いの間に構成し、前記装置の唯一の後付け要素は、前方部分から摩耗靴底の後部部分に向かっての空気の通過を確保するその不還弁の備わった導管、ならびに前記チャンバの外へ履物のが外部に向かって空気を排出できるようにするための踵部の圧縮チャンバの中に設置された不還弁であり得る。
その結果、履物の靴底の内部で事実上完全に閉鎖した踵部のレベルの圧縮チャンバが得られ、ここで、前方部分の圧縮チャンバと踵部の前記チャンバの間に設置又は形成された導管のレベルでのみ空気の流入が許され、第１の不還弁を通した外部への空気流出のみが許される。かくして、空気循環の効率を損う可能性のある踵部の中の前記圧縮チャンバレベルでの履物の内部に向かう空気の漏出の危険性はことごとく回避される。
好ましくは摩耗靴底は、その外側下部面上で、この外側下部面との関係において突出した刻み目を呈するような形で成形することができ、かくして、歩行時点でこれらの刻み目は沈み込み、圧縮チャンバ内にとじ込められた空気に対し圧力を及ぼすことになる。
好ましい一実施形態に従うと、前方部分及び／又は踵部のレベルの圧縮チャンバは、靴底の下部面をわずかに超える刻み目に対応するくり抜き部の形で実現される。これらのくり抜き部は、空気が間で循環するように互いに連絡状態にある小さな圧縮チャンバを構成する。かくして、各くり抜き部には、足が加える圧力の効果の下で変形し靴底の下部面と刻み目のレベルを同じにすることのできる壁が備わっている。
好ましくは、摩耗靴底を実現するためにポリウレタンを利用し、快適層は、発泡ポリウレタンで作られる。
本発明に従った履物はさらに、踵部内の圧縮チャンバのレベルで、圧縮チャンバの上部壁と下部壁が共に変形を受け前記チャンバ内に閉じ込められた空気に圧力を加えることができるかぎりにおいて、改善された空気循環を提供する。
本発明の履物内への空気の取込みは、アッパーの上縁部レベルで、又はアッパー内に具備された空気取込み用オリフィスを通って、特に足の甲レベルで行なうことができる。なお、アッパーの内部は好ましくは、完全に開いた気孔をもつ巣房状フォームに結びつけられる湿気を通さない透気性材料が張られている。かくして、アッパーの上縁部から入る空気は、アッパーの内側面全体に沿って循環し足を通気することができる。
清潔靴底が履物の内部に設置され、これは摩耗靴底の快適層上に載っている。この清潔靴底はその前方部分に、履物の内部を摩耗靴底の前方部分の圧縮チャンバと連絡状態におく孔を有する。
かくして、歩行中、前方部分の圧縮チャンバ内に入る汚れた空気は、ユーザーが足の前方部分を置いたときにこのチャンバ内で隔離された状態となり、履物の内部から清潔靴底の孔を通っての空気の取込みを遮断する。前方部分の前記チャンバ内のこの圧力を受けた空気は導管及び不還弁を通って踵部に向かって排出される。その後、踵部が置かれ、踵部の圧縮チャンバはこのとき、床により加えられる応力及び履物のユーザーの足により加えられる応力を受ける。不還弁を有する導管は踵部から靴底の前方に向かう空気の循環を妨げることから、空気は踵の圧縮チャンバ内に具備され靴底の外部への空気の通過を可能にする不還弁を通して排出される。
本発明は同様に、本発明に従った摩耗靴底、その前方部分に孔が備わった清潔靴底及びアッパーを呈し、前記摩耗靴底が、履物の内部に向かって開放したその前方部分内の少なくとも１つの圧縮チャンバ及び履物の外部に向かってしか空気の通過を許さない、少なくとも１つの第１の不還弁の備わった踵部の中の少なくとも１つの圧縮チャンバを有し、前方部分内の圧縮チャンバが、摩耗靴底の前方から後方への空気の循環のみを許容する第２の不還弁を有する導管を介して踵部の圧縮チャンバに連結されている履物を製造する方法において、前方部分内の圧縮チャンバの原型である少なくとも１つの前方キャビティ及び踵部内の圧縮チャンバの原型である少なくとも１つの後方キャビティを呈する摩耗靴底を成形する段階を含み、前記キャビティは前記摩耗靴底の上部面に向かって開放しており、踵部のキャビティには、摩耗靴底の外部に通じる少なくとも１つのオリフィス及び／又は導管が含まれ、各キャビティは、前記キャビティを連結しかつ靴底の前方部分から踵部に向かっての空気の通過しか許容しない不還弁の備わった導管の端部を収容するオリフィスを提示しており、さらに、磨耗靴底と共に、踵部の中の閉じられた圧縮チャンバ及び履物の靴底の前方部分の中で開放し２つの圧縮チャンバを連結する導管を閉じ込める圧縮チャンバを構成している快適層により、前記摩耗靴底を２重成形する段階が含まれ、踵部の圧縮チャンバのオリフィス及び／又は導管の中には、チャンバから外部への空気の通過のみを許可するような形で不還弁が設置されていることを特徴とする、履物製造方法に関する。
この不還弁は、摩耗靴底上の快適層の２重成形の前又は後で、キャビティの導管及び／又はオリフィスの中に設置することができる。
摩耗靴底の圧縮チャンバを連結する不還弁の備わった導管は、快適層の２重成形中に形成され得、弁は２重成形の前に設置される。
前方部分の圧縮チャンバが複数のくり抜き部で構成されている場合、快適層は２重成形され、圧縮チャンバの前記くり抜き部と対面して孔を提示する。
ここで、唯一つの図が本発明に従った履物の靴底の縦断面図を表わしている図面を参照しながら、本発明の一実施例について、より詳細に記述する。
本発明に従った履物の靴底１は、快適層３を有する摩耗靴底２を含む。
摩耗靴底は好ましくはポリウレタン成形によって得られる。この摩耗靴底２は、踵部のレベルに圧縮チャンバ４の原型である後方キャビティを、そしてその前方部分のレベルに圧縮チャンバ５の原型である前方キャビティを有している。２つのキャビティは、摩耗靴底２の上部面上で開放しているような形で成形中に形成される。
各キャビティは、このキャビティに通じるオリフィスを有し、各オリフィスは、前記キャビティをまず連結し後にチャンバ４、５を連結する１本の導管６の片端を収容している。
摩耗靴底２の成形中、チャンバ４の原型である後方キャビティに通じるオリフィス７を設ける。このオリフィス７はその後、不還弁（図示せず）或いはこの不還弁の備わった導管を収容する。
その後、摩耗靴底２の２重成形により快適層３を実現する。好ましくは発泡ポリウレタンが利用される。
２重成形中、快適層３は、踵部の中で閉じた圧縮チャンバ４を形成するような形でチャンバ４の原型である後方キャビティを覆い、一方前方部分の圧縮チャンバ５は靴底１の上部面に向かった開放した状態に保たれる。
かくして、踵部の圧縮チャンバ４は、導管６を通るこの空気の流入とオリフィス７の中に取りつけられた不還弁を通る空気の流出のみを提供する。圧縮チャンバ４の壁は全て、歩行中に踵部を置いた時点で前記チャンバ４上に加わる圧縮の際の優れた変形を確保する弾性変形可能な材料で構成されている。
摩耗靴底２は、好ましくは、その下部面上に、特に泥の多い又は湿った土の上での靴底の優れた接地性を提供する刻み目９を構成する幾何学的形状のカット部を有する。さらに、これらの刻み目（図示せず）のいくつかは、靴底２の下部表面との関係において突出した状態で実施され、そのため、歩行に際してこれらの刻み目は内部に向かって沈み込み、圧縮チャンバ４及び５の中に閉じ込められた空気に圧力を加えてこれらのチャンバ４及び５から外への空気の排出を可能にするようになっている。
履物内の空気の循環に有利に作用するように、導管６は、圧縮チャンバ５から圧縮チャンバ４に向かっての空気の循環を可能にし逆の循環を妨げる不還弁８を有する。
かくして、最小限の構成要素を利用し、従って製造が簡単で経済的に有利であることがわかる。１つの快適層の備わった摩耗靴底から成る履物の靴底の中に完全に内蔵された装置を用いて空気の循環が完全に確保される履物が実現された。
【図１】
0004109720.tif 000002